(57)【要約】【課題】イベント情報を検索することのできる情報検索システムにおいて、ユーザ属性、検索日時、検索場所等を考慮した最適な検索結果及び最適な広告情報を容易に提供し、広告主にとっても費用対効果を向上する。【解決手段】検索装置２は、通信網５０を介して取得したユーザ属性情報と複数のイベント情報と複数の広告情報とを記録する記録手段７と、前記記録手段７に記録された複数のイベント情報の中から検索条件と前記ユーザ属性情報に基づきイベント情報を検索し、１つまたは複数のイベント情報からなるイベント情報リストＤ２を出力するイベント情報検索手段６ａと、前記記録手段７に記録された複数の広告情報の中から前記イベント情報リストＤ２と前記ユーザ属性情報に基づき複数のイベント関連広告を選択し、該複数のイベント関連広告からなる広告情報リストＤ３を出力する広告選択手段６ｂとを備える。【選択図】図２
2007328496.tif 000002
【特許請求の範囲】
【請求項１】
ユーザが指定した検索条件に基づきイベント情報を検索し、検索したイベント情報と該イベント情報に関連する広告情報とを通信網を介してユーザ端末に提供する検索装置を具備する情報検索システムであって、
前記検索装置は、
前記通信網を介して取得したユーザ属性情報と複数のイベント情報と複数の広告情報とを記録する記録手段と、
前記記録手段に記録された複数のイベント情報の中から検索条件と前記ユーザ属性情報に基づきイベント情報を検索し、１つまたは複数のイベント情報からなるイベント情報リストを出力するイベント情報検索手段と、
前記記録手段に記録された複数の広告情報の中から前記イベント情報リストと前記ユーザ属性情報に基づき複数のイベント関連広告を選択し、該複数のイベント関連広告からなる広告情報リストを出力する広告選択手段とを備え、
前記イベント情報リストと広告情報リストとを検索結果として前記ユーザ端末に提供することを特徴とする情報検索システム。
【請求項２】
前記検索装置に対するユーザ端末からの操作履歴を記録する操作履歴記録手段を有し、
前記イベント情報検索手段は、出力した前記イベント情報リストが複数のイベント情報からなる場合、前記操作履歴記録手段におけるユーザの操作履歴情報を参照し、ユーザが過去に選択操作したイベント情報に高い優先度を付し、該優先度に基づき前記イベント情報リストにおける複数のイベント情報の並び替えを行うことを特徴とする請求項１に記載された情報検索システム。
【請求項３】
前記イベント情報検索手段は、出力した前記イベント情報リストが複数のイベント情報からなる場合、ユーザが登録または検索条件として指定した地域に近いイベント開催地域のイベント情報に高い優先度を付し、該優先度に基づき前記イベント情報リストにおける複数のイベント情報の並び替えを行うことを特徴とする請求項１または請求項２に記載された情報検索システム。
【請求項４】
前記広告選択手段は、ユーザが登録または検索条件として予め指定した地域情報と、イベント開催地域との交通距離の長さにより交通機関及び／または宿泊施設の広告を表示対象とするか否かを判断することを特徴とする請求項１乃至請求項３のいずれかに記載された情報検索システム。
【請求項５】
前記広告選択手段は、前記イベント情報リスト中の各イベント情報について、該イベント情報と、前記記録手段に記録された複数の広告情報の中から選択した複数のイベント関連広告中の各広告情報との関連度を示す関連度数を求め、該関連度数が高い順に広告情報を並べ変え、前記広告情報リストを出力することを特徴とする請求項１乃至請求項４のいずれかに記載された情報検索システム。
【請求項６】
前記関連度数は、前記イベント情報リスト中の各イベント情報について、該イベント情報が有する複数の属性項目と、前記複数のイベント関連広告中の各広告情報が有する複数の属性項目との一致度を示す一致度係数に、前記広告情報が有する複数の属性項目ごとに設定される密接度係数を乗じることにより設定されることを特徴とする請求項５に記載された情報検索システム。
【請求項７】
前記密接度係数は、ユーザ属性情報項目中のいずれか一つまたは複数の項目別に、前記広告情報が有する複数の属性項目ごとに設定されることを特徴とする請求項６に記載された情報検索システム。
【請求項８】
前記記録手段に記録される複数の広告情報は夫々、広告の対象とする性別を識別するための広告対象性別情報を有し、
前記記録手段に記録される複数のユーザ属性情報は夫々、ユーザの性別を識別するためのユーザ性別情報を有し、
前記広告選択手段は、前記広告対象性別情報と前記ユーザ性別情報とが適合する広告情報を優先的に選択することを特徴とする請求項１乃至請求項７のいずれかに記載された情報検索システム。
【請求項９】
前記記録手段に記録される複数の広告情報は夫々、広告の対象とする年齢幅を識別するための広告対象年齢情報を有し、
前記記録手段に記録される複数のユーザ属性情報は夫々、ユーザの年齢を識別するためのユーザ年齢情報を有し、
前記広告選択手段は、前記広告対象年齢情報に示される年齢幅に前記ユーザ年齢情報に示される年齢が含まれる広告情報を優先的に選択することを特徴とする請求項１乃至請求項８のいずれかに記載された情報検索システム。
【請求項１０】
前記記録手段に記録される複数の広告情報は夫々、広告のジャンルを識別するための広告ジャンル情報を有し、
前記記録手段に記録される複数のユーザ属性情報は夫々、ユーザの趣味嗜好を識別するためのユーザ趣味嗜好情報を有し、
前記広告選択手段は、前記広告ジャンル情報と前記ユーザ趣味嗜好情報とが適合する広告情報を優先的に選択することを特徴とする請求項１乃至請求項９のいずれかに記載された情報検索システム。
【請求項１１】
前記記録手段に記録される複数のイベント情報は夫々、当該イベントの属性情報として、イベントに関連する関連企業情報を有し、
前記広告選択手段は、前記関連企業情報に適合する企業の広告情報を優先的に選択することを特徴とする請求項１乃至請求項１０のいずれかに記載された情報検索システム。
【請求項１２】
前記記録手段に記録される複数の広告情報は夫々、広告の開始及び終了日時を示す広告期間情報を有し、
前記広告選択手段は、前記広告期間情報に示される広告期間が検索時の日時情報に示される日時を含む広告情報を優先的に選択することを特徴とする請求項１乃至請求項１１のいずれかに記載された情報検索システム。
【請求項１３】
前記記録手段は、前記ユーザ端末における広告表示領域情報を記録し、
前記広告選択手段は、前記ユーザ端末における広告表示領域に前記選択された複数の広告情報数が満たない場合、広告表示領域の空き領域に表示する広告として、予め決められた所定の広告情報から選択することを特徴とする請求項１乃至請求項１１のいずれかに記載された情報検索システム。
【請求項１４】
前記広告選択手段は、前記操作履歴記録手段におけるユーザの操作履歴情報を参照し、ユーザが過去に選択操作した広告情報に高い優先度を付し、該優先度に基づき前記広告情報リストにおける複数の広告情報の並び替えを行うことを特徴とする請求項２乃至請求項１３のいずれかに記載された情報検索システム。
【請求項１５】
前記広告選択手段により出力された広告情報リストに基づき表示される各広告情報に対し、表示順と表示スペースと表示時間のいずれか一つまたは複数に基づき、広告費を算出する広告費算出手段を有することを特徴とする請求項１乃至請求項１４のいずれかに記載された情報検索システム。
【請求項１６】
ユーザが予め検索条件として登録したイベント情報が前記記録手段に記録された際に、ユーザ側の通信装置に対して電子メール、音声メッセージ、電子メッセージ、ファックスのいずれか一つまたは複数により通知を行うことを特徴とする請求項１乃至請求項１５のいずれかに記載された情報検索システム。
【請求項１７】
ユーザが予め検索条件として登録したイベント情報に変化が生じた際に、ユーザ側の通信装置に対して電子メール、音声メッセージ、電子メッセージ、ファックスのいずれか一つまたは複数により通知を行うことを特徴とする請求項１乃至請求項１６のいずれかに記載された情報検索システム。
【請求項１８】
前記請求項１乃至請求項１７のいずれかに記載の情報検索システムを用いたことを特徴とする情報検索方法。
【請求項１９】
前記請求項１８に記載の情報検索方法をコンピュータに実行させることを特徴とする情報検索プログラム。
【請求項２０】
請求項１９に記載の情報検索プログラムを記録したコンピュータ読み取り可能な記録媒体。
【発明の詳細な説明】
【技術分野】
【０００１】
本発明は、例えばインターネット等の通信網を用い、ユーザが所望のイベント情報を検索でき、また、ユーザに最適な広告情報を提供することのできる情報検索システム、情報検索方法、情報検索プログラム及びそのプログラムを記録した記録媒体に関する。
【背景技術】
【０００２】
従来、ユーザがインターネット等の通信網を介して所望のイベント情報を検索する場合、利用可能な検索方法（検索システム）は大きく２つに分かれる。第一の検索方法は、ユーザ端末（パーソナルコンピュータ、携帯電話等）の画面上に表示されカテゴリ別に登録された情報の一覧（カテゴリリスト）から、適切なカテゴリを選択操作し、カテゴリ階層を下位の階層まで表示して、目的の情報（ウェブサイト）までたどり着く方法である。第二の方法は、インターネットから収集した情報を格納したシステムに対してユーザが任意のキーワードを入力し、検索の結果、画面上に表示されたキーワードが含まれている情報（文章の一部等）の一覧より目的の情報（ウェブサイト）を検索する方法である。このような従来の検索システムについては、例えば特許文献１に開示されている。
【特許文献１】特開平９−３１１８６９号公報
【０００３】
また、検索システムによっては、検索結果となる情報と共に、同一画面上に広告情報を表示するものがある。そのような検索システムにおける広告情報の供給手段としては、検索結果とは関連性の無い広告を供給する場合、検索したキーワードとの類似性から供給する広告を選択する場合、検索結果となる情報に予め関連づけられた広告情報を供給する場合等がある。
【発明の開示】
【発明が解決しようとする課題】
【０００４】
しかしながら、従来の検索システムにあっては、前述の第一の検索方法、第二の検索方法共に、ユーザが欲する目的の情報に辿り着くまでに、同じような検索操作を何度も繰り返す必要が生じる場合が多く、ユーザにとって時間と手間、労力を要するという問題があった。
【０００５】
さらに検索結果と同時に広告情報をユーザに提供するシステムにあっては、検索結果と関連性が無い広告を供給する場合や、検索したキーワードとの類似性により無関係な広告が供給される場合には、ユーザにとって意味を成さない広告が供給されてしまい、広告の効果が低いという問題があった。また、ユーザが未成年である場合に、タバコやアルコール類等の不適切な情報や広告が表示されてしまうという問題もあった。
さらに、広告主である企業にとっては、同業他社の広告や不適切な組み合わせとなる広告が同時に表示されてしまう可能性があり不利益が発生する虞があった。
【０００６】
また、検索結果となる情報に予め関連づけられた広告情報を供給する場合は、情報の登録者による手作業がなされるため最新の情報に更新し続ける必要があるが、実際には正しく保守されていないことが多く、広告主の企業にとって広告効果が低下する原因となっていた。
さらに、広告主に対する広告費は、広告の表示順、表示される時間、広告表示のスペース等を反映すべきであるが、実際には、一律に定められ、不公平であるという問題があった。
【０００７】
本発明は、前記したような事情の下になされたものであり、イベント情報を検索することのできる情報検索システムであって、ユーザ属性、検索日時、検索場所等を考慮した最適な検索結果及び最適な広告情報を容易に提供することができ、広告主にとっても費用対効果を向上することのできる情報検索システム、情報検索方法、情報検索プログラム及びそのプログラムを記録した記録媒体を提供することを目的とする。
【課題を解決するための手段】
【０００８】
前記した課題を解決するために、本発明に係る情報検索システムは、ユーザが指定した検索条件に基づきイベント情報を検索し、検索したイベント情報と該イベント情報に関連する広告情報とを通信網を介してユーザ端末に提供する検索装置を具備する情報検索システムであって、前記検索装置は、前記通信網を介して取得したユーザ属性情報と複数のイベント情報と複数の広告情報とを記録する記録手段と、前記記録手段に記録された複数のイベント情報の中から検索条件と前記ユーザ属性情報に基づきイベント情報を検索し、１つまたは複数のイベント情報からなるイベント情報リストを出力するイベント情報検索手段と、前記記録手段に記録された複数の広告情報の中から前記イベント情報リストと前記ユーザ属性情報に基づき複数のイベント関連広告を選択し、該複数のイベント関連広告からなる広告情報リストを出力する広告選択手段とを備え、前記イベント情報リストと広告情報リストとを検索結果として前記ユーザ端末に提供することに特徴を有する。
【０００９】
このような構成によれば、ユーザが所望のイベント情報について検索すると、検索条件とユーザ情報に基づき検索が行われ、イベント情報リストが作成される。このイベント情報リストは、ユーザ属性情報を反映したものであり、ユーザは、時間、手間、労力を要せず、所望のイベント情報を容易に得ることができる。
また、得られたイベント情報リストに基づき広告情報リストが作成されるため、ユーザにとって関連性が深く、ユーザの年齢、性別、嗜好性等を考慮した広告を表示することができる。
【００１０】
また、前記検索装置に対するユーザ端末からの操作履歴を記録する操作履歴記録手段を有し、前記イベント情報検索手段は、出力した前記イベント情報リストが複数のイベント情報からなる場合、前記操作履歴記録手段におけるユーザの操作履歴情報を参照し、ユーザが過去に選択操作したイベント情報に高い優先度を付し、該優先度に基づき前記イベント情報リストにおける複数のイベント情報の並び替えを行うことが望ましい。
このように構成することにより、ユーザの操作履歴を反映したイベント情報を優先的に表示するようにすることができる。
【００１１】
また、前記イベント情報検索手段は、出力した前記イベント情報リストが複数のイベント情報からなる場合、ユーザが登録または検索条件として指定した地域に近いイベント開催地域のイベント情報に高い優先度を付し、該優先度に基づき前記イベント情報リストにおける複数のイベント情報の並び替えを行うことが望ましい。
このように構成することにより、ユーザが指定した場所に近いイベント開催地のイベント情報を優先的に表示することができる。
【００１２】
また、前記広告選択手段は、ユーザが登録または検索条件として予め指定した地域情報と、イベント開催地域との交通距離の長さにより交通機関及び／または宿泊施設の広告を表示対象とするか否かを判断することが望ましい。
このように構成することにより、例えば、現在地とイベント開催地が遠距離である場合には航空会社の広告を表示したり、イベント開催地周辺のホテルの広告を表示したりすることができる。
【００１３】
また、前記広告選択手段は、前記イベント情報リスト中の各イベント情報について、該イベント情報と、前記記録手段に記録された複数の広告情報の中から選択した複数のイベント関連広告中の各広告情報との関連度を示す関連度数を求め、該関連度数が高い順に広告情報を並べ変え、前記広告情報リストを出力することが望ましい。
尚、前記関連度数は、前記イベント情報リスト中の各イベント情報について、該イベント情報が有する複数の属性項目と、前記複数のイベント関連広告中の各広告情報が有する複数の属性項目との一致度を示す一致度係数に、前記広告情報が有する複数の属性項目ごとに設定される密接度係数を乗じることにより設定されることが望ましい。
このように構成することにより、検索したイベント情報に対し、関連性が高い順に複数の広告情報に対して順位付けを行うことができる。即ち、規則性無く関連広告を表示するのではなく、イベントに関連性の高い広告を優先的に表示することができる。
【００１４】
また、前記密接度係数は、ユーザ属性情報項目中のいずれか一つまたは複数の項目別に、前記広告情報が有する複数の属性項目ごとに設定されることが望ましい。
このように密接度係数を、ユーザ属性情報項目中の項目別、即ち、例えば、イベントに対するユーザの目的別、ユーザの家族構成別、検索日時に対するイベント開催時期別、ユーザの趣味嗜好別、ユーザ端末の位置情報別、ユーザの性別別、ユーザの職業・職種別に、広告情報が有する複数の属性項目ごとに設定することにより、より詳細な条件により関連度数を決定することができ、イベント情報に対する関連度の算出を、より高精度に行うことができる。
【００１５】
また、前記記録手段に記録される複数の広告情報は夫々、広告の対象とする性別を識別するための広告対象性別情報を有し、前記記録手段に記録される複数のユーザ属性情報は夫々、ユーザの性別を識別するためのユーザ性別情報を有し、前記広告選択手段は、前記広告対象性別情報と前記ユーザ性別情報とが適合する広告情報を優先的に選択することが望ましい。
【００１６】
また、前記記録手段に記録される複数の広告情報は夫々、広告の対象とする年齢幅を識別するための広告対象年齢情報を有し、前記記録手段に記録される複数のユーザ属性情報は夫々、ユーザの年齢を識別するためのユーザ年齢情報を有し、前記広告選択手段は、前記広告対象年齢情報に示される年齢幅に前記ユーザ年齢情報に示される年齢が含まれる広告情報を優先的に選択することが望ましい。
【００１７】
また、前記記録手段に記録される複数の広告情報は夫々、広告のジャンルを識別するための広告ジャンル情報を有し、前記記録手段に記録される複数のユーザ属性情報は夫々、ユーザの趣味嗜好を識別するためのユーザ趣味嗜好情報を有し、前記広告選択手段は、前記広告ジャンル情報と前記ユーザ趣味嗜好情報とが適合する広告情報を優先的に選択することが好ましい。
このように構成すれば、広告選択手段が広告を選択する上で、ユーザ属性を考慮した選択を行うことができる。
【００１８】
また、前記記録手段に記録される複数のイベント情報は夫々、当該イベントの属性情報として、イベントに関連する関連企業情報を有し、前記広告選択手段は、前記関連企業情報に適合する企業の広告情報を優先的に選択することが望ましい。
このように構成すれば、同業他社の広告や不適切な組み合わせとなる広告の同時表示を防止することができ、企業にとっての不利益発生を抑制することができる。
【００１９】
また、前記記録手段に記録される複数の広告情報は夫々、広告の開始及び終了日時を示す広告期間情報を有し、前記広告選択手段は、前記広告期間情報に示される広告期間が検索時の日時情報に示される日時を含む広告情報を優先的に選択することが好ましい。
このように構成すれば、その時に適した広告のみを表示することができ、古い広告情報が表示されることがないため、広告主の企業にとって広告効果の低下を抑制することができる。
【００２０】
また、前記記録手段は、前記ユーザ端末における広告表示領域情報を記録し、前記広告選択手段は、前記ユーザ端末における広告表示領域に前記選択された複数の広告情報数が満たない場合、広告表示領域の空き領域に表示する広告として、予め決められた所定の広告情報から選択することが望ましい。
このように構成すれば、広告領域に空きが生じることがなく、画面上の広告領域を有効利用することができる。
【００２１】
また、前記広告選択手段は、前記操作履歴記録手段におけるユーザの操作履歴情報を参照し、ユーザが過去に選択操作した広告情報に高い優先度を付し、該優先度に基づき前記広告情報リストにおける複数の広告情報の並び替えを行うことが好ましい。
このように構成することにより、ユーザの選択操作履歴を反映した広告情報の表示を行うことができる。
【００２２】
また、前記広告選択手段により出力された広告情報リストに基づき表示される各広告情報に対し、表示順と表示スペースと表示時間のいずれか一つまたは複数に基づき、広告費を算出する広告費算出手段を有することが望ましい。
このように構成することにより、広告の表示順、表示される時間、広告表示のスペース等を反映した広告費を課金することができ、広告主に対し公平な課金を行うことができる。即ち、広告主にとっても費用対効果を向上することができる。
【００２３】
また、ユーザが予め検索条件として登録したイベント情報が前記記録手段に記録された際に、前記ユーザ側の通信装置に対して電子メール、音声メッセージ、電子メッセージ、ファックスのいずれか一つまたは複数により通知を行うことが望ましい。
このように構成することにより、所望のイベント情報が登録されると、ユーザは直ぐにその情報を得ることができる。
【００２４】
また、ユーザが予め検索条件として登録したイベント情報に変化が生じた際に、前記ユーザ側の通信装置に対して電子メール、音声メッセージ、電子メッセージ、ファックスのいずれか一つまたは複数により通知を行うことが好ましい。
このように構成すれば、例えば一度検索したイベント情報に変更事項が生じた場合に、ユーザは直ぐにその情報を得ることができる。
【００２５】
また、前記した課題を解決するため、本発明に係る情報検索方法は、前記記載の情報検索システムを用いたことに特徴を有する。
即ち、この情報検索方法によれば、前記した情報検索システムによる効果を同様に得ることができる。
【発明の効果】
【００２６】
本発明によれば、イベント情報を検索することのできる情報検索システムであって、ユーザ属性、検索日時、検索場所等を考慮した最適な検索結果及び最適な広告情報を容易に提供することができ、広告主にとっても費用対効果を向上することのできる情報検索システム、情報検索方法、情報検索プログラム及びそのプログラムを記録した記録媒体を得ることができる。
【発明を実施するための最良の形態】
【００２７】
以下、本発明の実施の形態を図面に基づき説明する。図１は本発明の情報検索システム１００の全体構成を模式的に示すブロック図である。このシステム１００においては、本システムの管理者端末１及び検索装置２がインターネット網５０（通信網）を介し、本システムに登録されている一または複数のユーザの端末、即ちユーザ端末３と、本システムに広告情報を提供する企業の端末、即ち広告主端末４とにデータ通信可能に接続されている。
【００２８】
前記ユーザ端末３は、例えばパーソナルコンピュータ、携帯情報端末、携帯電話等のいずれでもよく、ユーザがそれら端末３を用いる場所は限定されない。そして、本システムにおいて、ユーザがそれら端末３を用い、所定の検索画面から文字入力等により所望のイベント情報に係るキーワード（検索条件）を入力し検索を実行させると、検索装置２内に蓄積された情報に対して検索処理が行われ、その検索結果として、ユーザに適した検索結果（イベント情報）及び広告情報が、端末３の画面に表示されるように構成されている。
尚、検索装置２には、インターネット網５０を介して各種イベント情報や広告主端末４から取得された広告情報が蓄積されるが、その管理は管理者端末１によって行われる。
【００２９】
図２は、検索装置２の概略構成を示すブロック図である。図２に示すように検索装置２は、ユーザ端末３とのデータ通信の整合をとるインタフェース装置５と、イベント情報を検索し、イベント情報に関連する広告情報を選択するためのイベント検索・広告選択装置６と、インターネット網５０を介して取得された各種情報（イベント情報、広告情報等）を記録するための例えばハードディスクからなる記憶装置７（記録手段）と、前記各種情報を記憶装置７に登録するための情報登録装置８とを備える。
【００３０】
図２に示すように前記インタフェース装置５は、ユーザ端末３から入力され指定されたキーワードやカテゴリ情報等を受け取り、それを解析して所定の検索条件を生成する入力情報処理機構５ａと、ユーザ端末３が受け取るべきイベント情報及び広告情報を、ユーザ端末３に最適化された形式に加工しユーザ端末３に出力する出力情報処理機構５ｂとを有する。また、インタフェース装置５は、図２に示すように電子メールＭ、その他音声メッセージ、電子メッセージのいずれか１つまたは複数によりユーザ側の通信装置（例えばユーザ端末３、電話機、ファックス装置等）に対して所定の通知を行うためのユーザ補助機構５ｃを有している。
【００３１】
また、図２に示すようにイベント検索・広告選択装置６は、検索条件に基づき記憶装置７からイベント情報を検索するイベント情報検索機構６ａ（イベント情報検索手段）と、イベント情報検索機構６ａが検索したイベント情報から関連する広告情報を選択する広告選択機構６ｂ（広告情報選択手段）とを有している。また、記憶装置７は、ユーザ属性情報、イベント情報、広告情報等を記録する情報記憶装置７ａと、広告実績と課金情報を記録する広告実績・課金情報記録装置７ｂとを有している。
【００３２】
また、情報登録装置８は、管理者端末１から入力された情報やインターネット網５０から検索された情報を登録する情報登録機構８ａと、インターネット網５０から情報を検索する検索エンジンであるインターネット検索機構８ｂとを有している。
尚、検索装置２内における前記インタフェース装置５、イベント検索・広告選択装置６、記憶装置７、情報登録装置８は、夫々制御部１０（コンピュータ）に接続され、この制御部１０によって検索装置２における全体動作が制御されるように構成されている。
【００３３】
さらに、図３に基づき、検索装置２について詳細に説明する。図３は、検索装置２内の構成をさらに具体的に示したブロック図である（制御部１０は図示省略）。図示するように、検索装置２のイベント検索・広告選択装置６において、イベント情報検索機構６ａは、入力情報処理機構５ａから入力された検索条件Ｄ２に基づきイベント情報を検索する検索処理部６１ａと、イベント関連情報として、会場情報、地域情報、日時情報、人物情報等を検索し抽出する関連情報検索処理部６２ａと、抽出されたイベント情報に対してユーザ属性情報を利用したフィルタ処理を行うイベント情報フィルタ処理部６３ａとを有する。尚、これら各処理部は、ソフトウエアプログラムにより構築され、夫々の目的とする処理を実行するようになされている。
【００３４】
また、このイベント情報検索機構６ａによる一連の処理により、イベント情報の検索結果として一つまたは複数のイベント情報からなるイベント情報リストＤ２が出力される一方、イベント情報リストＤ２は、広告選択機構６ｂの広告選択条件とされる。
広告選択機構６ｂにおいては、イベント情報リストＤ２中の各イベントについてイベント関連広告リストを作成する広告選択処理部６１ｂと、前記イベント関連広告リストに対してイベントと広告との関連度を示す関連度数によって重み付けを行い、広告情報の並び替えを行う関連度数設定処理部６２ｂとを有する。
【００３５】
さらには、前記関連度数によって並び替えを行なった広告リストに対して、ユーザ属性情報（趣味嗜好、年齢等）を利用したフィルタ処理を行う広告情報フィルタ処理部６３ｂと、フィルタ処理済みの広告情報に対して所定の優先度（例えばユーザが過去に選択表示した履歴情報に基づき設定される優先度）により、表示領域及び表示順を決定して最終的な広告情報リストＤ３とする広告優先度設定処理部６４ｂとを有している。尚、これら各処理部は、ソフトウエアプログラムにより構築され、夫々の目的とする処理を実行するようになされている。
そして、広告選択機構６ｂにおいて作成された広告情報リストＤ３は、インタフェース装置５の出力情報処理機構５ｂによって前記イベント情報リストＤ２と共にユーザ端末３用に所定の加工が施され、ユーザ端末３に送信されるようになされている。
【００３６】
また、記憶装置７において、情報記憶装置７ａは、図示するように、複数のユーザの個々についてユーザ属性情報が記録されるユーザ情報記憶部７１ａと、複数の各種イベント情報が記録されるイベント情報記憶部７２ａと、ユーザの操作履歴が記録されるユーザ操作履歴記憶部７３ａ（操作履歴記録手段）と、会場や人物等のイベントに関連する事項の基本情報が記録される関連辞書記憶部７４ａと、各種広告情報が記録される広告情報記憶部７５ａと、前記関連度数を算出するために用いる係数である密接度係数情報が記録される広告密接係数記憶部７６ａと、ユーザ端末３の形態（パーソナルコンピュータ、携帯電話等）に対応する広告表示領域情報が記録された広告表示領域情報記憶部７７ａとを有している。
尚、前記イベント検索・広告選択装置６によるイベント・広告情報の検索及び選択処理は、この情報記憶装置７ａに記録された各種情報に対して行われる。
【００３７】
次に、情報記憶装置７ａに記録される情報について具体的な例を挙げ説明する。先ず、ユーザ属性情報を記録するユーザ情報記憶部７１ａには、図４に示す例えばテーブルＴ１の情報、即ちログインユーザ名、パスワード、生年月日、性別、住所等の基本的な個人情報や、図５に示す例えばテーブルＴ２の情報、即ち趣味、興味ある分野等、ユーザの趣味嗜好情報が記録される。尚、これらテーブルＴ１、Ｔ２は、本システムに登録されるユーザ毎に記録される（即ち、ユーザ数に等しいテーブルＴ１、Ｔ２が記録される）。また、これらの情報は、ユーザ端末３よりユーザが入力を行うことにより入力データが管理者端末１に送信され、管理者による承認後、情報登録機構８ａによりユーザ情報記憶部７１ａに記録される。
尚、以下の説明においてユーザ属性情報とは、テーブルＴ１、Ｔ２に予め記録された情報項目の情報のみならず、検索時に入力されたユーザ独自の情報（例えば、イベントに対するユーザの目的等の情報）も含まれるものとする。
【００３８】
また、イベント情報記憶部７２ａには、イベント毎に詳細な情報が記録される。具体的には、図６に示すように、イベントの基本的情報、即ちイベントＩＤ、イベント名称、会場、日時等の情報を記録したイベント共通情報Ｔ３と、そのイベント共通情報Ｔ３に紐付けされたイベント種別情報Ｔ４とがイベント毎に記録される。
【００３９】
イベント共通情報Ｔ３に記録される項目は、イベント間で共通である。一方、イベント種別情報Ｔ４はイベント毎に項目が異なり、図６に例を示すように、イベント種別が“映画”の場合、イベント目的が“見る”となり、その映画の監督、脚本、主演等、前売り券の金額、当日券の金額等が記録される。また、イベント種別が“新車試乗”の場合、イベント目的が“乗る”、“買う”となり、その他自動車会社名、車種等の情報が記録される。尚、イベント種別は、その他、例えば図７のテーブルＴ５に示すようにイベント目的別に、多数用意され、それらイベント種別毎に記録すべき情報の項目が用意される。
【００４０】
また、関連辞書記憶部７４ａには、例えば図８に示す基本的に内容が殆ど変更されることのない事柄の情報がイベント関連情報として記録される。即ち、例えばイベント会場の基本情報Ｔ６、市区町村単位での地域情報Ｔ７、祝日等の国別の日付情報Ｔ８、著名な人物に係る情報Ｔ９、主要な企業に関する情報Ｔ１０等が記録される。
また、広告情報記憶部７８ａには、広告主端末４から提供される広告毎に図９に示すような広告情報Ｔ１１が記録される。即ち、広告情報として、図示するように例えば広告（商品）名称、広告主名称、ジャンル、広告タイプ、広告ＵＲＬ等の広告基本情報や広告形態、課金形式等の広告個別情報が記録される。
【００４１】
尚、前記記憶装置７には、前述した構成の検索装置２における各動作が予め決められたソフトウエアからなる情報検索プログラム（図示せず）が格納されている。そして、前記制御部１０は当該プログラムを読み出し、後述の情報検索処理が実施されるよう制御を行う。このプログラムは、前記したように記録媒体としての記憶装置７に記録され格納されてもよいが、記憶装置７とは別の記録媒体に記録されてもよい。また、記憶装置７等の記録手段は、ハードディスクに限定されず、その他、フラッシュメモリ、光ディスク、メモリーカードなどの記録媒体であってもよい。
【００４２】
続いて図１０のフロー、図１１乃至図１６のユーザ端末表示画面イメージ、図１７のフローに基づき、ユーザがイベント情報を検索する際の制御部１０の制御による検索装置２の処理の流れについて説明する。
図１１は、ユーザ端末３の表示画面イメージ（パーソナルコンピュータの場合）であり、本システムにおける検索トップページＷ１の例を示している。画面中のレイアウト構成としては、例えば、大広告領域Ａ１、小広告領域Ａ２、検索やイベントに係るランキング情報領域Ａ３、イベント紹介領域Ａ４、各種カテゴリ検索領域Ａ５、キーワード検索領域Ａ６から構成される。
【００４３】
このような検索トップページＷ１において、先ず、ユーザが例えばキーワード検索領域Ａ６でイベント情報に関する１つまたは複数のキーワードを入力し、検索ボタンをクリック操作すると、インタフェース装置５の入力情報処理機構５ａは、ユーザが入力したキーワードを解析し検索条件を生成する（図１０のステップＳ１）。
イベント情報検索機構６ａの検索処理部６１ａは、前記検索条件に基づいてイベント情報記憶部７２ａを検索し、１つ又は複数のイベント情報を抽出する（図１０のステップＳ２）。
【００４４】
次いで関連情報検索処理部６２ａは、前記検索された１つ又は複数のイベント情報の関連情報として、会場情報、地域情報、日付情報、人物情報等を検索し抽出する（図１０のステップＳ３）。
また、ステップ２において検索されたイベント情報が複数の場合には、イベント情報フィルタ処理部６３ａにおいて、前記検索されたイベント情報に対し、さらにユーザ属性情報を利用したフィルタ処理を行う（図１０のステップＳ４）。具体的には、ユーザの年齢、見たくないキーワード等の情報を用いて不適切なイベントが振るい落とされる。
【００４５】
さらに、イベント優先度設定処理部６４ａにおいては、前記フィルタ処理がなされたイベント情報に対して、所定の優先度による並び替えを行いイベント情報リストＤ２とする（図１０のステップＳ５）。この優先度とは、例えば、ユーザが予め登録または検索条件として指定した地域情報（イベント開催地が近いイベント情報を優先する）、ユーザ属性情報における趣味・嗜好情報（ユーザの趣味嗜好に適合するイベント情報を優先する）、ユーザ操作履歴記憶部７３ａに記録されているユーザの選択操作履歴情報（過去に選択したイベント情報を優先する）等に基づき決定される。
【００４６】
このようにして、先ずイベント情報検索機構６ａによりイベント情報リストＤ２が生成され、次いで、このイベント情報リストＤ２を用いて広告選択機構６ｂにより広告情報リストが抽出される。
即ち、先ず広告選択処理部６１ｂにおいて、イベント情報リストＤ２に基づいて複数のイベント関連広告を選択する（図１０のステップＳ６）。
【００４７】
尚、この広告選択処理部６１ｂにおけるイベント関連広告の選択処理は、次のような選択基準により行われる。
広告選択処理部６１ｂは、ユーザが予め登録または検索条件として指定した地域情報と、イベント開催地域との交通距離の長さにより交通機関及び／または宿泊施設の広告を選択対象とするか否かを決定する。例えば、ユーザが予め指定した地域（例えば現住所）が東京であって、イベント開催地域が札幌である場合には、航空会社の広告や札幌のホテルの広告を選択対象とする。一方、ユーザが指定した場所とイベント開催地域が近距離である場合には、宿泊施設の広告は選択対象とせず、イベント開催地域周辺のタクシー会社や鉄道等の広告を選択対象とするよう制御がなされる。
【００４８】
また、広告選択処理部６１ｂは、図９のテーブルＴ１１に示す広告情報として記録された広告対象年齢情報と、図４のテーブルＴ１に示すユーザ属性情報として記録されたユーザ年齢情報とを参照し、ユーザ年齢が広告対象年齢に示される年齢幅に含まれる広告を優先的に選択する。
また、広告選択処理部６１ｂは、図９のテーブル１１に示す広告情報として記録された広告のジャンル情報と、図５のテーブルＴ２に示すユーザ属性情報として記録されたユーザ趣味嗜好情報とを参照し、ユーザの趣味嗜好に適合するジャンルの広告を優先的に選択する。
【００４９】
また、広告選択処理部６１ｂは、図９のテーブル１１に示す広告情報として記録された広告対象性別情報と、図４のテーブルＴ１に示すユーザ属性情報として記録されたユーザ性別情報とを参照し、ユーザの性別に適合するジャンルの広告を優先的に選択する。
また、広告選択処理部６１ｂは、図９のテーブルＴ１１に示すイベント情報に含まれる関連企業情報に基づいて、イベント関連企業の広告を優先的に選択し、同業他社の広告との同時表示を回避できるようになされている。
【００５０】
さらに、広告選択処理部６１ｂは、図９のテーブル１１に示す広告情報として記録された広告の開始及び終了日時を示す広告期間情報と検索時の日時とを参照し、検索時の日時が、広告期間情報に示される広告期間に含まれる広告を優先的に選択する。
【００５１】
ステップＳ６において複数のイベント関連広告が選択されると、イベント情報リストＤ２中の各イベント情報につき、関連度数設定処理部６２ｂにおいて各イベント関連広告の関連度数を求め、その関連度数に基づいてイベント関連広告の並び替えを行う（図１０のステップＳ７）。
【００５２】
具体的には、例えば図１７のフローに示すように、ステップＳ６において選択された複数のイベント関連広告Ｌ１の各広告について、広告情報を例えば広告名称、商品情報、広告主情報、広告開始日時、広告終了日時、商品ジャンル、広告地域、広告対象年齢、広告対象性別に細分化し、各項目について各イベント情報（イベント名、会場・場所、出演者等）との一致状況を示す一致度数を求める（図１７のステップＳ７１）。具体的な一致度数の例としては、各広告情報項目について完全一致の場合は１、一部一致の場合は０．５、全く一致しない場合には０となされる。
【００５３】
各広告情報項目についての一致度数リストＬ２が求められると、各広告情報項目について予め決められた密接度係数Ｌ３を前記一致度数リストＬ２に乗じ、各情報項目についての関連度数リストＬ４を求め、合計をその広告の関連度数とする（図１７のステップＳ７２）。
このようにして、複数のイベント関連広告Ｌ１の全ての広告について関連度数を求め（図１７のステップＳ７３）、最後に関連度数の大きさによって並び替えを行うことにより、関連度数に基づき表示順が決定されたイベント関連広告リストＬ５が作成される（図１１のステップＳ７３）。
【００５４】
尚、広告情報項目ごとに決められた密接度係数Ｌ３は、広告密接係数記憶部７６ａに予め記録されているが、図１８に示すように、イベント目的別に設定しておき、ユーザの目的に応じて選択するようにしてもよいし、家族構成別に予め設定しておき、ユーザの指定した家族構成に応じて選択するようにしてもよい。その他、密接度係数Ｌ３は、検索日時に対するイベント開催時期別（過去、現在、未来等）、ユーザの趣味嗜好別、ユーザ端末の位置情報別、ユーザの性別別、ユーザの職業・職種別等のいずれか一つまたは複数において、広告情報項目ごとに決められているのが好ましい。即ち、そのようにユーザ属性情報項目中の一つまたは複数の項目別に、広告情報項目ごとに密接度係数Ｌ３を設定し、それらを組み合わせることによって、ユーザに適した広告をより高精度に抽出することができる。
【００５５】
次いで、前述のように関連度数により並び替えられたイベント関連広告リストＬ５に対し、ユーザ属性情報を利用したフィルタ処理、即ち図５のテーブルＴ５に示されるような見たくないキーワードや趣向情報に基づいて不適切な広告情報が振るい落とされる。ここで、広告選択処理部６１ｂは、ユーザ端末３のブラウザ形式を判断すると共に、広告表示領域情報記憶部７７ａに記録されたブラウザ形式に対応する表示領域情報を参照し、フィルタ処理後のイベント関連広告リストＬ５の広告数が表示領域に満たない場合、広告表示領域の空き領域に表示する穴埋め広告（フリースポット広告）を所定の広告情報から選択する（図１０のステップＳ８）。この所定の広告情報とは、予め穴埋め広告として設定された広告情報である。
【００５６】
次いで広告優先度設定処理部６４ｂにおいて、前記フィルタ処理された広告情報に対し、所定の優先度による表示領域及び表示順を決定して広告情報リストＤ３とする（図１０のステップＳ９）。尚、この優先度とは例えば、ユーザ操作履歴記憶部７３ａに記録された、当該ユーザの操作履歴に基づき設定される。即ち、過去に選択した広告情報が高い優先度となされ優先的に表示される。
そして、前記広告情報リストＤ３は出力情報処理機構５ｂにおいてイベント情報リストＤ２と共にユーザ端末３での画面表示用に加工され、ユーザ端末３に提供される（図１０のステップＳ１０）。
【００５７】
ここで、ユーザ端末３には、図１２に示すような検索結果ページＷ２が表示される。この検索結果ページＷ２の画面レイアウト構成としては、例えば、大広告領域Ａ１、小広告領域Ａ２、検索やイベントに係るランキング情報領域Ａ３、各種カテゴリ検索領域Ａ５、検索結果一覧領域Ａ７、関連イベント情報領域Ａ８から構成される。
【００５８】
図１２に示すように、検索結果一覧領域Ａ７には、前記イベント情報リストＤ２が一覧表示される。尚、デフォルトの並び順は、前記したようにイベント優先度設定処理部６４ａによって決定されるが、ユーザの操作により様々な条件（例えばユーザ端末位置に近い順等）により並び替えを行うこともできるよう構成されるのが好ましい。
また、検索結果ページＷ２において、大広告領域Ａ１及び小広告領域Ａ２には、イベント情報リストＤ２中の全イベント情報に関連する広告情報リストＤ３が表示され、リスト中の広告数に対し表示領域が足りない場合には、所定の表示時間毎に広告を切り換え表示するように制御がなされる。
【００５９】
また、この検索結果一覧領域Ａ７に表示された検索結果から、所望のイベント情報をクリックし選択すると、図１３に示すようにイベント詳細ページＷ３が表示される。このイベント詳細ページＷ３においては、関連情報表示領域Ａ９が設けられ、そこに図１３に示すイベント情報詳細表示、図１４に示す会場情報詳細表示、図１５に示すイベント開催地域情報詳細表示、図１６に示すイベント関連人物情報詳細表示がタブによって選択表示可能になされている。
また、イベント詳細ページＷ３において、大広告領域Ａ１及び小広告領域Ａ２には、選択されたイベント情報に関連する広告情報リストＤ３が表示され、リスト中の広告数に対し表示領域が足りない場合には、所定の表示時間毎に広告を切り換え表示するように制御がなされる。
【００６０】
尚、前述のように広告情報リストＤ３が作成されると、図２、図３の記憶装置７に示した広告実績・課金情報記録装置７ｂには、広告情報リストＤ３の並び順（表示順）、リスト中の各広告情報に含まれる広告情報サイズ（広告スペース）、広告情報秒数（表示時間）等（図９のテーブルＴ１１参照）のいずれか一つまたは複数に基づき広告費算出手段（図示せず）により広告費が算出され、広告主に対する課金情報として記録される。
【００６１】
また通常、前述のようにイベント情報が検索されるが、ユーザが求めるイベント情報が未だ記憶装置７に登録されていない場合、その後、そのイベント情報が記録装置７に登録された時点で、その旨をユーザ補助機構５ｃによりユーザ端末３（電話機、ファックス装置等の通信装置でもよい）に対し電子メール、音声メッセージ、電子メッセージ、ファックスのいずれか１つまたは複数のメッセージＭにより通知がなされる。
また、一度検索を行ったイベント情報等、システムに登録されたイベント情報に変化が生じた場合（例えばイベント中止等）、その旨をユーザ補助機構５ｃによりユーザ端末３（電話機、ファックス装置等の通信装置でもよい）に対し電子メール、音声メッセージ、電子メッセージ、ファックスのいずれか１つまたは複数のメッセージＭにより通知がなされる。
【００６２】
以上のように、本発明に係る実施の形態によれば、ユーザが所望のイベント情報について検索すると、イベント情報リストを作成すると共に、そのイベント情報リストに対しユーザ属性情報によりフィルタ処理を施し、さらに所定の優先度（ユーザの選択操作履歴等）を付すことにより並び替え処理が行われる。したがって、ユーザは、時間、手間、労力を要せず、所望のイベント情報を容易に得ることができる。
【００６３】
また、本実施の形態によれば、イベント情報リストに関連する広告情報リストを作成し、その関連度の大きさを示す関連度数及び所定の優先度（ユーザの選択操作履歴等）により広告情報リストの並び替えが行われる。即ち、ユーザ属性情報に基づき得られたイベント情報リストに基づき広告情報リストが作成されるため、ユーザにとって関連性が深く、ユーザの年齢、性別、嗜好性等を考慮した広告を、表示の優先順を決めて表示することができる。
【００６４】
また、本実施の形態によれば、ユーザの年齢等の属性情報によってイベント情報や広告情報にフィルタ処理を行うため、例えば、ユーザが未成年である場合に、タバコやアルコール類等の不適切なイベント情報や広告情報の表示を回避することができる。
さらに、イベント情報が、そのイベントに関連する企業情報を有することにより、同業他社の広告や不適切な組み合わせとなる広告の同時表示を防止することができ、企業にとっての不利益発生を抑制することができる。
【００６５】
また、検索日時に適した広告情報を選択することにより、その時に適した広告のみを表示することができ、古い広告情報が表示されることがないため、広告主の企業にとって広告効果の低下を抑制することができる。
また、広告の表示順、表示される時間、広告表示のスペース等を反映した広告費を課金することができ、広告主に対し公平な課金を行うことができる。
【００６６】
尚、前記実施の形態においては、ユーザ端末３の位置が限定されないが、検索装置２がユーザ端末３の位置情報を取得する手段は、ユーザ端末３が搭載するＧＰＳ装置（ＧＰＳ搭載携帯電話等）からの緯度経度情報の取得、携帯電話基地局を利用した位置情報取得、ユーザの位置情報入力による取得等、あらゆる手段を用いることができる。
【産業上の利用可能性】
【００６７】
本発明は、例えばパーソナルコンピュータや携帯電話を用い、インターネット等の通信網を介してユーザがイベント情報を検索できるシステムであって、例えば情報通信業界において適用される。
【図面の簡単な説明】
【００６８】
【図１】図１は、本発明の情報検索システムの全体構成を模式的に示すブロック図である。
【図２】図２は、図１の情報検索システムが具備する検索装置の概略構成を示すブロック図である。
【図３】図３は、検索装置内の構成をさらに具体的に示したブロック図である
【図４】図４は、ユーザ属性情報の具体例を示すデータテーブルである。
【図５】図５は、ユーザ属性情報の具体例を示すデータテーブルである。
【図６】図６は、イベント情報の具体例を示すデータテーブルである。
【図７】図７は、イベント情報の具体例を示すデータテーブルである。
【図８】図８は、関連辞書情報の具体例を示すデータテーブルである。
【図９】図９は、広告情報の具体例を示すデータテーブルである。
【図１０】図１０は、検索装置における一連の動作を示すフローである。
【図１１】図１１は、ユーザ端末に表示される検索画面（検索トップページ）の具体例である。
【図１２】図１２は、ユーザ端末に表示される検索画面（検索結果一覧）の具体例である。
【図１３】図１３は、ユーザ端末に表示される検索画面（検索詳細結果）の具体例である。
【図１４】図１４は、ユーザ端末に表示される検索画面（検索詳細結果）の具体例である。
【図１５】図１５は、ユーザ端末に表示される検索画面（検索詳細結果）の具体例である。
【図１６】図１６は、ユーザ端末に表示される検索画面（検索詳細結果）の具体例である。
【図１７】図１７は、関連度数の算出方法を示すフローである。
【図１８】図１８は、密接度係数の他の例を示すデータテーブルである。
【符号の説明】
【００６９】
１        管理者端末
２        検索装置
３        ユーザ端末
４        広告主端末
５        インタフェース装置
５ａ      入力情報処理機構５ａ
５ｂ      出力情報処理機構５ｂ
５ｃ      ユーザ補助機構
６        イベント検索・広告選択装置
６ａ      イベント情報検索機構（イベント情報検索手段）
６１ａ    検索処理部
６２ａ    関連情報検索処理部
６３ａ    イベント情報フィルタ処理部
６４ａ    イベント優先度設定処理部
６ｂ      広告選択機構（広告情報選択手段）
６１ｂ    広告選択処理部
６２ｂ    関連度数設定処理部
６３ｂ    広告情報フィルタ処理部
６４ｂ    広告優先度設定処理部
７        記憶装置（記録手段、記録媒体）
７ａ      情報記憶装置
７１ａ    ユーザ情報記憶部
７２ａ    イベント情報記憶部
７３ａ    ユーザ操作履歴記憶部（操作履歴記録手段）
７４ａ    関連辞書記憶部
７５ａ    広告情報記憶部
７６ａ    広告密接係数記憶部
７７ａ    広告表示領域情報記憶部
７ｂ      広告実績・課金情報記録装置
８        情報登録装置
８ａ      情報登録機構
８ｂ      インターネット検索機構
１０      制御部（コンピュータ）
５０      インターネット網（通信網）
１００    情報検索システム
Ｄ１      検索条件
Ｄ２      イベント情報リスト
Ｄ３      広告情報リスト
Ｍ        メッセージ
【図１】
2007328496.tif 000003
【図２】
2007328496.tif 000004
【図３】
2007328496.tif 000005
【図４】
2007328496.tif 000006
【図５】
2007328496.tif 000007
【図６】
2007328496.tif 000008
【図７】
2007328496.tif 000009
【図８】
2007328496.tif 000010
【図９】
2007328496.tif 000011
【図１０】
2007328496.tif 000012
【図１１】
2007328496.tif 000013
【図１２】
2007328496.tif 000014
【図１３】
2007328496.tif 000015
【図１４】
2007328496.tif 000016
【図１５】
2007328496.tif 000017
【図１６】
2007328496.tif 000018
【図１７】
2007328496.tif 000019
【図１８】
2007328496.tif 000020